(57)【特許請求の範囲】
【請求項１】
デジタル放送における立体映像信号の伝送方法であって、
第１の立体映像のデータと、前記第１の立体映像を識別する識別情報とをパケット化するステップと、
前記第１の立体映像信号と相補的な関係にある第２の立体映像のデータと、前記第２の立体映像を識別する識別情報とをパケット化するステップと、
番組を管理する番組管理テーブルに、前記識別情報とこの識別情報で示されるデータが第１の立体映像又は第２の立体映像であることを示す情報とを関連付けて記述し、番組管理テーブルをパケット化するステップと、
前記第１の立体映像、第２の立体映像及び番組管理テーブルを伝送するステップと
を有することを特徴とするデジタル放送における立体映像信号の伝送方法。
【請求項２】
デジタル放送における立体映像信号の伝送方法であって、
第１の立体映像のデータと、前記第１の立体映像を識別する識別情報とをパケット化するステップと、
前記第１の立体映像信号と相補的な関係にある第２の立体映像のデータと、前記第２の立体映像を識別する識別情報とをパケット化するステップと、
番組を管理する番組管理テーブルに、前記識別情報とこの識別情報で示されるデータが第１の立体映像又は第２の立体映像であることを示す情報とを関連付けて記述し、番組管理テーブルをパケット化するステップと、
前記第１の立体映像、第２の立体映像及び番組管理テーブルを伝送するステップと、
前記番組管理テーブルを受信し、前記番組管理テーブルから第１の立体映像及び／又は第２の立体映像に対応する識別情報を検索するステップと、
立体映像を出力する場合には、前記検索された第１の立体映像及び第２の立体映像の識別情報に基づいて、第１の立体映像及び第２の立体映像を出力し、立体映像ではない通常の映像を出力する場合には、前記検索された第１の立体映像又は第２の立体映像の識別情報に基づいて、第１の立体映像又は第２の立体映像の一方を出力するステップと
を有することを特徴とするデジタル放送における立体映像信号の伝送方法。
【請求項３】
デジタル放送における立体映像信号の伝送システムであって、
第１の立体映像のデータと、前記第１の立体映像を識別する識別情報とをパケット化する手段と、
前記第１の立体映像信号と相補的な関係にある第２の立体映像のデータと、前記第２の立体映像を識別する識別情報とをパケット化する手段と、
番組を管理する番組管理テーブルに、前記識別情報とこの識別情報で示されるデータが第１の立体映像又は第２の立体映像であることを示す情報とを関連付けて記述し、番組管理テーブルをパケット化する手段と、
前記第１の立体映像、第２の立体映像及び番組管理テーブルを伝送する手段と
を有することを特徴とするデジタル放送における立体映像信号の伝送システム。
【請求項４】
デジタル放送における立体映像信号の伝送システムであって、
第１の立体映像のデータと、前記第１の立体映像を識別する識別情報とをパケット化する手段と、
前記第１の立体映像信号と相補的な関係にある第２の立体映像のデータと、前記第２の立体映像を識別する識別情報とをパケット化する手段と、
番組を管理する番組管理テーブルに、前記識別情報とこの識別情報で示されるデータが第１の立体映像又は第２の立体映像であることを示す情報とを関連付けて記述し、番組管理テーブルをパケット化する手段と、
前記第１の立体映像、第２の立体映像及び番組管理テーブルを伝送する手段と、
前記番組管理テーブルを受信し、前記番組管理テーブルから第１の立体映像及び／又は第２の立体映像に対応する識別情報を検索する手段と、
立体映像を出力する場合には、前記検索された第１の立体映像及び第２の立体映像の識別情報に基づいて、第１の立体映像及び第２の立体映像を出力し、立体映像ではない通常の映像を出力する場合には、前記検索された第１の立体映像又は第２の立体映像の識別情報に基づいて、第１の立体映像又は第２の立体映像の一方を出力する手段と
を有することを特徴とするデジタル放送における立体映像信号の伝送システム。
【発明の詳細な説明】
【０００１】
【発明が属する技術分野】
本発明は立体映像の伝送の技術に関し、特に立体映像に対応していない通常の受信機でも映像を鑑賞することができ、立体映像に対応した受信機では立体映像を鑑賞することができるデジタル放送における立体映像の伝送の技術に関する。
【０００２】
【従来の技術】
近年、映像サービスも多種にわたっており、立体映像のサービスも試みられている。この立体映像の代表的な方法として、左目用の映像信号と、右目用の映像信号とを伝送し、受信側で特殊なメガネを用いることにより、立体映像を鑑賞することが出来る。
【０００３】
【発明が解決しようとする課題】
しかしながら、立体映像は特殊な装置を必要とし、一般の受像機では鑑賞できない場合が多い。そこで、特殊な装置を持たないユーザのため、立体映像の映像でも通常の映像が観られる映像の伝送技術が望まれていた。
【０００４】
一方、テレビ放送のデジタル放送も開始され、各種のデータを伝送することも可能となってきた。
【０００５】
そこで、本発明は上記課題に鑑みて発明されたものであって、その目的はデジタル放送において、立体映像に対応していない通常の受信機でも映像を鑑賞することができ、立体映像に対応した受信機では立体映像を鑑賞することができるデジタル放送における立体映像の伝送技術を提供することにある。
【０００６】
【課題を解決するための手段】
【０００７】
上記目的を達成する第１の発明は、デジタル放送における立体映像信号の伝送方法であって、
第１の立体映像のデータと、前記第１の立体映像を識別する識別情報とをパケット化するステップと、
前記第１の立体映像信号と相補的な関係にある第２の立体映像のデータと、前記第２の立体映像を識別する識別情報とをパケット化するステップと、
番組を管理する番組管理テーブルに、前記識別情報とこの識別情報で示されるデータが第１の立体映像又は第２の立体映像であることを示す情報とを関連付けて記述し、番組管理テーブルをパケット化するステップと、
前記第１の立体映像、第２の立体映像及び番組管理テーブルを伝送するステップと
を有することを特徴とする。
【０００８】
上記目的を達成する第２の発明は、デジタル放送における立体映像信号の伝送方法であって、
第１の立体映像のデータと、前記第１の立体映像を識別する識別情報とをパケット化するステップと、
前記第１の立体映像信号と相補的な関係にある第２の立体映像のデータと、前記第２の立体映像を識別する識別情報とをパケット化するステップと、
番組を管理する番組管理テーブルに、前記識別情報とこの識別情報で示されるデータが第１の立体映像又は第２の立体映像であることを示す情報とを関連付けて記述し、番組管理テーブルをパケット化するステップと、
前記第１の立体映像、第２の立体映像及び番組管理テーブルを伝送するステップと、
前記番組管理テーブルを受信し、前記番組管理テーブルから第１の立体映像及び／又は第２の立体映像に対応する識別情報を検索するステップと、
立体映像を出力する場合には、前記検索された第１の立体映像及び第２の立体映像の識別情報に基づいて、第１の立体映像及び第２の立体映像を出力し、立体映像ではない通常の映像を出力する場合には、前記検索された第１の立体映像又は第２の立体映像の識別情報に基づいて、第１の立体映像又は第２の立体映像の一方を出力するステップと
を有することを特徴とする。
【０００９】
上記目的を達成する第３の発明は、デジタル放送における立体映像信号の伝送システムであって、
第１の立体映像のデータと、前記第１の立体映像を識別する識別情報とをパケット化する手段と、
前記第１の立体映像信号と相補的な関係にある第２の立体映像のデータと、前記第２の立体映像を識別する識別情報とをパケット化する手段と、
番組を管理する番組管理テーブルに、前記識別情報とこの識別情報で示されるデータが第１の立体映像又は第２の立体映像であることを示す情報とを関連付けて記述し、番組管理テーブルをパケット化する手段と、
前記第１の立体映像、第２の立体映像及び番組管理テーブルを伝送する手段と
を有することを特徴とする。
【００１０】
上記目的を達成する第４の発明は、デジタル放送における立体映像信号の伝送システムであって、
第１の立体映像のデータと、前記第１の立体映像を識別する識別情報とをパケット化する手段と、
前記第１の立体映像信号と相補的な関係にある第２の立体映像のデータと、前記第２の立体映像を識別する識別情報とをパケット化する手段と、
番組を管理する番組管理テーブルに、前記識別情報とこの識別情報で示されるデータが第１の立体映像又は第２の立体映像であることを示す情報とを関連付けて記述し、番組管理テーブルをパケット化する手段と、
前記第１の立体映像、第２の立体映像及び番組管理テーブルを伝送する手段と、
前記番組管理テーブルを受信し、前記番組管理テーブルから第１の立体映像及び／又は第２の立体映像に対応する識別情報を検索する手段と、
立体映像を出力する場合には、前記検索された第１の立体映像及び第２の立体映像の識別情報に基づいて、第１の立体映像及び第２の立体映像を出力し、立体映像ではない通常の映像を出力する場合には、前記検索された第１の立体映像又は第２の立体映像の識別情報に基づいて、第１の立体映像又は第２の立体映像の一方を出力する手段と
を有することを特徴とする。
【００１１】
【発明の実施の形態】
本発明の実施の形態について説明する。
【００１２】
本発明の立体映像信号の伝送方法について説明する。
【００１３】
まず、本発明で用いられる立体映像信号は第１の映像信号と第２の映像信号とから成り、第１の映像信号をＬ（左目）用の映像信号とし、第２の映像信号をＲ（右目）用の映像信号として説明する。尚、このように、一つの立体映像を鑑賞する為に必要な関係の信号を、相補的な関係にある信号という。
【００１４】
本発明の伝送方法は、主としてデジタル放送サービスを前提としている。すなわち、ビデオ（映像信号）やオーディオ（音声信号）を符号化したデジタルデータのビット列（ストリーム）が伝送媒体を介して視聴者に配信され、受信装置において復号化され、映像や音声として出力される。
【００１５】
そして、本発明では、１つの番組を構成する映像、音声などのコンポーネントにおいて、立体映像の為の映像データ、すなわちＬ用の映像データとＲ用の映像データとを異なるコンポーネントとして伝送し、受信側で必要なデータを選択させることを特徴とする。
【００１６】
さらに説明すると、本発明では、１つの番組を構成する映像、音声などのコンポーネントにおいて、立体映像の為の映像データのコンポーネントを少なくとも二つ設け、ひとつをＬ用の映像データとし、もう一つをＲ用の映像データとする。そして、Ｌ用の映像データのコンポーネントと、Ｒ用の映像データのコンポーネントとを別々に符号化してパケット化（ＴＳ化：Transport Stream）する。尚、ＴＳ化されたＬ用の映像データとＲ用の映像データとは、異なるパケット識別子（以下、ＰＩＤという）がつけられる。
【００１７】
一方、プログラム・マップ・テーブル（Program Map Table:以下、ＰＭＴという）には、ＰＩＤ毎にそのデータの種類とコンポーネントタグ値を記述し、受信機の動作を規定する。
【００１８】
そして、パケット化された映像データや音声データ等とＰＳＩ（Program Specific Information：ＰＡＴ，ＰＭＴなど）とが多重化されて伝送される。
【００１９】
受信機側では、ＴＳを受信してＰＡＴ及びＰＭＴを参照し、通常の受信器（立体映像を観ることができない）では、例えばＬ用の映像信号のみ出力させ、立体映像対応の受信器では、Ｌ用の映像信号とＲ用の映像信号とを出力させる。
【００２０】
以下、具体的な構成を示して説明する。
【００２１】
図１、図２及び図３は本発明の実施の形態を説明する為の図である。
【００２２】
図中、１〜３はエンコーダ、４は多重化部である。
【００２３】
Ｌ用映像データは、エンコーダ１に入力されて符号化されてＴＳパケット化される。尚、Ｌ用映像のＴＳパケットのＰＩＤは１とする。また、Ｒ用映像データは、エンコーダ２に入力されて符号化されてＴＳパケット化される。尚、Ｒ用映像のＴＳパケットのＰＩＤは２とする。音声データは、エンコーダ３に入力されて符号化されてＴＳパケット化される。尚、音声のＴＳパケットのＰＩＤは３とする。
【００２４】
そして、これらのＴＳパケットは、ＰＳＩ（ＰＡＴ，ＰＭＴなど）とともに、多重化部４で多重化される。
【００２５】
ここで、ＰＭＴ５の記述について述べる。
【００２６】
例えば、ＢＳデジタル放送では、コンポーネントタグ値０ｘ００〜０ｘ０Ｆを映像のタグ値としている。このうち０ｘ００をデフォルトとしており、通常チューニングした場合に第一に出力する映像を示している。また、音声のコンポーネントタグ値は、０ｘ１０〜０ｘ２Ｆである。
【００２７】
そこで、本実施の形態では、図２及び図３に示される如く、Ｌ用映像のＰＩＤ＝１のコンポーネントタグ値としてデフォルトの０ｘ００を記述し、Ｒ用映像のＰＩＤ＝２のコンポーネントタグ値として０ｘ０１を記述し、音声のＰＩＤ＝３のコンポーネントタグ値として０ｘ１０を記述する。
【００２８】
受信側では、ＴＳを受信し、ＰＩＤ＝０がついたパケットからＰＡＴ６を解析する。そして、チューニングされた番組のＰＡＴをサーチする。本実施の形態では、チューニングする番組をＮ番組とし、Ｎ番組のＰＭＴ５のＰＩＤをＮとする。すると、ＰＩＤ＝ＮのパケットからＰＭＴ５を解析する。
【００２９】
受信機が立体映像に対応しない通常の受信機である場合、図２に示される如く、制御部７により映像に関してはコンポーネントタグ値０ｘ００のデータのみが出力される。本実施の形態では、コンポーネントタグ値０ｘ００はＰＩＤ＝１のＬ用映像なので、ＰＩＤ＝１が付されたデータが復号化されてＬ用映像のみ出力される。
【００３０】
一方、受信機が立体映像に対応した受信機である場合、図３に示される如く、制御部７により映像に関してはコンポーネントタグ値０ｘ００と、タグ値０ｘ０１とのデータが出力される。本実施の形態では、コンポーネントタグ値０ｘ００はＰＩＤ＝１のＬ用映像であり、コンポーネントタグ値０ｘ０１はＰＩＤ＝２のＲ用映像であるので、ＰＩＤ＝１及びＰＩＤ＝２が付されたデータが復号化されてＬ用映像とＲ用映像とが出力され、立体映像が鑑賞できる。
【００３１】
尚、立体映像の鑑賞の一例としては、通常の映像に対して倍速で映像を再生、例えば通常の映像が６０Ｈｚである場合、Ｌ用映像とＲ用映像とをそれぞれ６０Ｈｚで再生し（合計では１２０Ｈｚ）、鑑賞用メガネの液晶シャッターで交互にＬ用映像とＲ用映像とを観える様にして立体映像を鑑賞する方法が考えられる。
【００３２】
【発明の効果】
本発明の伝送方法及びシステムによれば、立体映像に対応していない通常の受信機でも通常の映像を鑑賞することができ、立体映像に対応した受信機では立体映像を鑑賞することができる。
【図面の簡単な説明】
【図１】図１は本発明の実施の形態を説明するための図である。
【図２】図２は本発明の実施の形態を説明するための図である。
【図３】図３は本発明の実施の形態を説明するための図である。
【符号の説明】
１，２，３    エンコーダ
４            多重化部
５            ＰＭＴ
６            ＰＡＴ
７            制御部
【図１】
0004497497.tif 000002
【図２】
0004497497.tif 000003
【図３】
0004497497.tif 000004